(57)【要約】ビーム受信失敗に関する報告方法、ユーザ機器、媒体、およびシステム。ビーム受信失敗に関する報告方法は、ビーム受信失敗が生じる二次セルの識別子を獲得することと、ビーム受信失敗が生じる二次セルにおける候補ビームとして、別のビームを選択することと、ビーム受信失敗が生じる二次セルの識別子と、候補ビームの識別子とをＭＡＣ制御要素としてカプセル化して、ＭＡＣ制御要素を、他のセルを介して基地局に送ることであって、他のセルは、ビーム受信失敗が生じない一次セル、一次および二次セル、または他の二次セルである、送ることとを含む。前述の解決策によって、ビーム受信失敗が生じる二次セルの識別子と、その対応する候補ビームとが、ＰＲＡＣＨおよびＰＵＣＣＨを占有することなしに基地局に報告されることが可能である。【選択図】図１
2021502728.tif 000002
【特許請求の範囲】
【請求項１】
ビーム受信失敗を報告するための方法であって、
ビーム受信が失敗する二次セルの識別子を獲得することと、
前記ビーム受信が失敗する前記二次セルにおける候補ビームとして、失敗したビーム以外の１つのビームを選択することと、
前記ビーム受信が失敗する前記二次セルの前記識別子と、前記候補ビームの識別子とをカプセル化して媒体アクセス制御制御要素であるＭＡＣ制御要素にして、前記ＭＡＣ制御要素を、前記ビーム受信が失敗する前記二次セル以外の１つのセルのリソースを使用して発信することと、を含み、
前記ビーム受信が失敗する前記二次セル以外の前記セルが、失敗するビーム受信が存在しない一次セル、一次の二次セル、または他の二次セルを備える、方法。
【請求項２】
前記候補ビームの前記識別子が、前記候補ビームに対応する同期信号ブロックインデックスを備える、請求項１に記載の方法。
【請求項３】
前記ビーム受信が失敗する各二次セルに関して、対応する前記ＭＡＣ制御要素が、少なくとも２バイトの本文を含み、１バイトが、前記ビーム受信が失敗する前記二次セルの前記識別子を表すように構成され、他方のバイトが、前記候補ビームの前記識別子を表すように構成される、請求項１に記載の方法。
【請求項４】
前記二次セルが、ダウンリンクキャリアだけを構成する、または前記ダウンリンクキャリアとアップリンクキャリアの両方を構成する、請求項１に記載の方法。
【請求項５】
候補ビームとして、失敗した前記ビーム以外の１つのビームを選択することが、前記候補ビームとして、最高の受信された信号強度を有する、失敗した前記ビーム以外の１つのビームを選択することを含む、請求項１に記載の方法。
【請求項６】
ビーム受信失敗を報告するための方法であって、
前記ビーム受信失敗を報告するための専用のプリアンブルパラメータを備える無線リソース制御シグナリングである、ＲＲＣシグナリングを受信することと、
前記ビーム受信失敗を報告するための様態を決定することと、
前記ビーム受信が失敗したとき、前記ビーム受信失敗を報告するための前記決定された様態により、請求項１から５のいずれか一項に記載のビーム受信失敗を報告するための前記様態を使用して前記ビーム受信失敗を報告する、または前記専用のプリアンブルを使用して前記ビーム受信失敗を報告することと
を含む方法。
【請求項７】
前記ＲＲＣシグナリングが、前記方法が前記ビーム受信失敗を報告する前記様態を決定するためのパラメータをさらに備え、前記ビーム受信失敗を報告するための前記様態を前記方法が決定することが、ビーム受信失敗を報告するための前記パラメータにより、前記ビーム受信失敗を報告するための前記様態を決定することを含む、請求項６に記載の方法。
【請求項８】
ビーム受信が失敗する二次セルの識別子を獲得するように構成された獲得回路と、
前記ビーム受信が失敗する前記二次セルにおける候補ビームとして、失敗したビーム以外の１つのビームを選択するように構成された選択回路と、
前記ビーム受信が失敗する前記二次セルの前記識別子と、前記候補ビームの識別子とをカプセル化して媒体アクセス制御制御要素であるＭＡＣ制御要素にして、前記ＭＡＣ制御要素を、前記ビーム受信が失敗する前記二次セル以外の１つのセルのリソースを使用して発信するように構成された第１の報告回路と、を備え、
前記ビーム受信が失敗する前記二次セル以外の前記セルが、失敗するビーム受信が存在しない一次セル、一次の二次セル、または他の二次セルを備える、ユーザ機器。
【請求項９】
前記候補ビームの前記識別子が、前記候補ビームに対応する同期信号ブロックインデックスを備える、請求項８に記載のユーザ機器。
【請求項１０】
前記ビーム受信が失敗する各二次セルに関して、対応する前記ＭＡＣ制御要素が、少なくとも２バイトの本文を備え、１バイトが、前記ビーム受信が失敗する前記二次セルの前記識別子を表すように構成され、他方のバイトが、前記候補ビームの前記識別子を表すように構成される、請求項８に記載のユーザ機器。
【請求項１１】
前記二次セルが、ダウンリンクキャリアだけを構成する、または前記ダウンリンクキャリアとアップリンクキャリアの両方を構成する、請求項８に記載のユーザ機器。
【請求項１２】
候補ビームとして、失敗した前記ビーム以外の１つのビームを前記選択することが、前記候補ビームとして、最高の受信された信号強度を有する、失敗した前記ビーム以外の１つのビームを選択することを含む、請求項８に記載のユーザ機器。
【請求項１３】
ビーム受信失敗を報告するための専用のプリアンブルパラメータを備える無線リソース制御シグナリングであるＲＲＣシグナリングを、受信するように構成された受信回路と、
前記ビーム受信失敗を報告するための様態を決定するように構成された決定回路と、
前記ビーム受信が失敗したとき、前記ビーム受信失敗を報告するための前記決定された様態により、請求項１から５のいずれか一項に記載のビーム受信失敗を報告するための前記様態を使用して前記ビーム受信失敗を報告するように、または前記専用のプリアンブルを使用して前記ビーム受信失敗を報告するように構成された第２の報告回路と
を備えるユーザ機器。
【請求項１４】
前記ＲＲＣシグナリングが、前記方法が前記ビーム受信失敗を報告する前記様態を決定するためのパラメータをさらに備え、前記決定回路が、ビーム受信失敗を報告するための前記パラメータにより、前記ビーム受信失敗を報告するための前記様態を決定するように構成される、請求項１３に記載のユーザ機器。
【請求項１５】
コンピュータ命令を記憶する非一時的記憶媒体であって、前記コンピュータ命令が実行されると、請求項１から５のいずれか一項に記載の方法、または請求項６から７のいずれか一項に記載の方法が実行される、非一時的記憶媒体。
【請求項１６】
メモリとプロセッサとを備えるシステムであって、前記メモリが、前記プロセッサ上で実行可能なコンピュータ命令を記憶し、前記プロセッサが、請求項１から５のいずれか一項に記載の方法を実行する、または請求項６から７のいずれか一項に記載の方法が、実行される、システム。
【発明の詳細な説明】
【技術分野】
【０００１】
関連出願の相互参照
本出願は、２０１８年１月１０日に出願した、「ＭＥＴＨＯＤ  ＦＯＲ  ＲＥＰＯＲＴＩＮＧ  ＢＥＡＭ  ＲＥＣＥＰＴＩＯＮ  ＦＡＩＬＵＲＥ，ＵＳＥＲ  ＥＱＵＩＰＭＥＮＴ，ＭＥＤＩＵＭ  ＡＮＤ  ＳＹＳＴＥＭ（ビーム受信失敗を報告するための方法、ユーザ機器、媒体、およびシステム）」という名称の中国特許出願第２０１８１００２４５５１．Ｘ号明細書の優先権の利益を主張するものである。同出願の内容全体が、参照により本明細書に組み込まれている。
【０００２】
本開示は、遠隔通信分野に関し、より詳細には、ビーム受信失敗を報告するための方法、ユーザ機器、およびシステムに関する。
【背景技術】
【０００３】
第５世代（５Ｇ）新型無線（ＮＲ）システムにおいて、セルは、複数のビームから構成されてよい。セルが複数のビームを含む場合、各ビームは、そのビームに対応する同期信号ブロック（ＳＳブロック）をブロードキャストし、同期信号ブロックは、同期信号ブロックインデックス（ＳＳブロックインデックス）を搬送する。ユーザ機器（ＵＥ）は、同期信号ブロックを受信することによってダウンリンク同期を実行し、異なるビームに対応する同期信号ブロックは、異なる同期信号ブロックインデックスを搬送する。ＵＥがセル内で移動したとき、同期信号ブロックの測定によりビーム切換えが実行される。
【０００４】
キャリアアグリゲーションに関して、基地局（ｇＮＢ）が、ＵＥのために一次セル（ＰＣｅｌｌ）および二次セル（ＳＣｅｌｌ）を構成してよい。ＰＣｅｌｌに関して、基地局は、ＵＥのために専用のプリアンブルを構成する。したがって、ビーム受信が失敗した場合、ＵＥは、候補ビームに対応するアップリンクリソースを使用して、受信失敗について基地局に通知するために専用のプリアンブルを送信することが可能であり、そのプリアンブルを受信した後、基地局は、候補ビームを使用してＵＥに応答する。
【発明の概要】
【発明が解決しようとする課題】
【０００５】
物理ランダムアクセスチャネル（ＰＲＡＣＨ）を有さないＳＣｅｌｌに関して、専用のプリアンブルは、ＵＥがビーム受信失敗について基地局に通知するために構成されることが可能でない。したがって、ビームが失敗したとき、ＵＥは、適時に基地局に通知することができず、このことが、呼ドロップを生じさせる可能性があり、通信は、ＳＣｅｌｌにおいて適時に回復されることが可能でなく、その結果、ＵＥのサービス品質に影響を及ぼす。しかし、ＰＣｅｌｌと類似した解決策が適用された場合、各ＳＣｅｌｌは、ＰＲＡＣＨを有するように構成される必要がある。大量のＳＣｅｌｌが存在する場合、ＰＲＡＣＨのための無線リソースのより多くの確保がもたらされることが可能であり、ネットワーク展開が影響を受ける可能性がある。さらに、ビーム受信失敗が、ＰＣｅｌｌの測定レポートによっても報告される場合、ＰＣｅｌｌの物理アップリンク制御チャネル（ＰＵＣＣＨ）のオーバーヘッドが増加させられる可能性があり、このことが、ＰＵＣＣＨのための無線リソースのより多くの確保をもたらす可能性がある。
【課題を解決するための手段】
【０００６】
本開示の実施形態が、ビーム受信失敗を報告するための方法であって、ビーム受信が失敗する二次セルの識別子を獲得することと、ビーム受信が失敗する二次セルにおける候補ビームとして、失敗したビーム以外の１つのビームを選択することと、ビーム受信が失敗する二次セルの識別子と、候補ビームの識別子とをカプセル化して媒体アクセス制御（Ｍｅｄｉａ  Ａｃｃｅｓｓ  Ｃｏｎｔｒｏｌ；ＭＡＣ）制御要素（Ｃｏｎｔｒｏｌ  Ｅｌｅｍｅｎｔ；ＣＥ）にして、このＭＡＣ制御要素（ＭＡＣ  ＣＥ）を、ビーム受信が失敗する二次セル以外の１つのセルのリソースを使用して発信することとを含み、ビーム受信が失敗する二次セル以外のセルが、失敗するビーム受信が存在しない一次セル、一次の二次セル、または他の二次セルを含む、方法を提供する。
【０００７】
一部の実施形態において、候補ビームの識別子は、候補ビームに対応する同期信号ブロックインデックスを含む。
【０００８】
一部の実施形態において、ビーム受信が失敗する各二次セルに関して、対応するＭＡＣ制御要素は、少なくとも２バイトの本文（ｂｏｄｙ）を含み、１バイトが、ビーム受信が失敗する二次セルの識別子を表すように構成され、他方のバイトが、候補ビームの識別子を表すように構成される。
【０００９】
一部の実施形態において、二次セルは、ダウンリンクキャリアだけを構成する、またはダウンリンクキャリアとアップリンクキャリアの両方を構成する。
【００１０】
一部の実施形態において、候補ビームとして、失敗したビーム以外の１つのビームを選択することは、候補ビームとして、最高の受信された信号強度を有する、失敗したビーム以外の１つのビームを選択することを含む。
【００１１】
本開示の実施形態は、ビーム受信失敗を報告するための方法であって、無線リソース制御（ＲＲＣ）シグナリングを受信することであって、ＲＲＣシグナリングが、ビーム受信失敗を報告するための専用のプリアンブルパラメータを含んでよい、受信することと、ビーム受信失敗を報告する様態（ｗａｙ）を決定することと、ビーム受信が失敗したとき、ビーム受信失敗を報告するための決定された様態により、ＭＡＣ  ＣＥを介してビーム受信失敗を報告する、または専用のプリアンブルを使用してビーム受信失敗を報告することとを含む方法を提供する。
【００１２】
一部の実施形態において、ＲＲＣシグナリングは、方法がビーム受信失敗を報告する様態を決定するためのパラメータをさらに含み、ビーム受信失敗を報告するための様態を決定することが、ビーム受信失敗を報告するためのパラメータにより、ビーム受信失敗を報告するための様態を決定することを含む。
【００１３】
本開示の実施形態は、ビーム受信が失敗する二次セルの識別子を獲得するように構成された獲得回路と、ビーム受信が失敗する二次セルにおける候補ビームとして、失敗したビーム以外の１つのビームを選択するように構成された選択回路と、ビーム受信が失敗する二次セルの識別子と、候補ビームの識別子とをカプセル化して媒体アクセス制御（ＭＡＣ）制御要素にして、ＭＡＣ制御要素を、ビーム受信が失敗する二次セル以外の１つのセルのリソースを使用して発信するように構成された第１の報告回路とを備え、ビーム受信が失敗する二次セル以外のセルが、失敗するビーム受信が存在しない一次セル、一次の二次セル、または他の二次セルを含む、ユーザ機器を提供する。
【００１４】
一部の実施形態において、候補ビームの識別子は、候補ビームに対応する同期信号ブロックインデックスを含む。
【００１５】
一部の実施形態において、ビーム受信が失敗する各二次セルに関して、対応するＭＡＣ制御要素は、少なくとも２バイトの本文を含み、１バイトが、ビーム受信が失敗する二次セルの識別子を表すように構成され、他方のバイトが、候補ビームの識別子を表すように構成される。
【００１６】
一部の実施形態において、二次セルは、ダウンリンクキャリアだけを構成する、またはダウンリンクキャリアとアップリンクキャリアの両方を構成する。
【００１７】
一部の実施形態において、候補ビームとして、失敗したビーム以外の１つのビームを選択することは、候補ビームとして、最高の受信された信号強度を有する、失敗したビーム以外の１つのビームを選択することを含む。
【００１８】
本開示の実施形態は、ＲＲＣシグナリングを受信するように構成された受信回路であって、ＲＲＣシグナリングが、ビーム受信失敗を報告するための専用のプリアンブルパラメータを含んでよい、受信回路と、ビーム受信失敗を報告する様態を決定することと、ビーム受信が失敗したとき、ビーム受信失敗を報告するための決定された様態により、ＭＡＣ  ＣＥを介してビーム受信失敗を報告する、または専用のプリアンブルを使用してビーム受信失敗を報告することとを含むユーザ機器を提供する。
【００１９】
一部の実施形態において、ＲＲＣシグナリングは、方法がビーム受信失敗を報告する様態を決定するためのパラメータをさらに含み、ビーム受信失敗を報告するための様態を決定することが、ビーム受信失敗を報告するためのパラメータにより、ビーム受信失敗を報告するための様態を決定することを含む。
【００２０】
本開示の実施形態は、コンピュータ命令を記憶するコンピュータ可読記憶媒体であって、コンピュータ命令が実行されると、前述の方法が実行される、コンピュータ可読記憶媒体を提供する。
【００２１】
本開示の実施形態は、メモリとプロセッサとを含むシステムであって、メモリが、プロセッサ上で実行可能なコンピュータ命令を記憶し、プロセッサが、コンピュータ命令が実行されると、コンピュータ命令を実行しているときに前述の方法を実行する、システムを提供する。
【００２２】
本開示の実施形態は、以下の利益を有する。
【００２３】
本開示の実施形態において、ビーム受信が失敗する二次セルの識別子と、対応する候補ビームの識別子とがカプセル化されてＭＡＣ制御要素にされ、ＭＡＣ制御要素が、他のセルのリソースを使用して発信される。ＭＡＣ制御要素が使用されるので、ＰＲＡＣＨおよび専用のプリアンブルは、構成される必要がなく、ＰＵＣＣＨは、使用されない。したがって、ビーム受信が失敗する二次セルの識別子、およびそれに対応する候補ビームは、ＰＲＡＣＨおよびＰＵＣＣＨを使用することなしに送信されることが可能である。
【００２４】
さらに、候補ビームとして、最高の受信された信号強度を有する、失敗したビーム以外の１つのビームを選択することが、その後のビーム受信の成功率を向上させることが可能である。
【図面の簡単な説明】
【００２５】
【図１】本開示の実施形態によるビーム受信失敗を報告するための方法を概略的に示すフローチャートである。
【図２】本開示の実施形態によるＭＡＣ制御要素を概略的に示す構造図である。
【図３】本開示の実施形態によるビーム受信失敗を報告するための方法を概略的に示すフローチャートである。
【図４】本開示の実施形態によるユーザ機器を概略的に示す構造図である。
【図５】本開示の実施形態によるユーザ機器を概略的に示す構造図である。
【発明を実施するための形態】
【００２６】
ＳＣｅｌｌに関して、ＰＲＡＣＨが構成されない場合、専用のプリアンブルが、ＵＥがビーム受信失敗について基地局に通知するために構成されることが可能でない。したがって、ビームが失敗したとき、ＵＥは、適時に基地局に通知することができず、このことが、通信をドロップさせて、その結果、ＵＥのサービス品質に影響を及ぼす可能性がある。ＰＣｅｌｌの実装形態と類似した方法が使用される場合、各ＳＣｅｌｌに関してＰＲＡＣＨが構成される必要がある。ＳＣｅｌｌの数が大きい場合、ＰＲＡＣＨリソースのための無線リソースが確保されるべきであり、ネットワーク展開が影響を受ける。ビーム受信失敗が、ＰＣｅｌｌの測定レポートによっても報告される場合、ＰＣｅｌｌのＰＵＣＣＨのオーバーヘッドが増加させられて、ＰＵＣＣＨのための無線リソースのより多くの確保をもたらす。
【００２７】
本開示の実施形態において、ビーム受信が失敗する二次セルの識別子と、対応する候補ビームの識別子とがカプセル化されてＭＡＣ制御要素にされ、ＭＡＣ制御要素が、他のセルのリソースを使用して発信される。ＭＡＣ制御要素が使用されるので、ＰＲＡＣＨおよび専用のプリアンブルは、構成される必要がなく、ＰＵＣＣＨは、使用されない。したがって、ビーム受信が失敗する二次セルの識別子、およびそれに対応する候補ビームは、ＰＲＡＣＨおよびＰＵＣＣＨを使用することなしに送信されることが可能である。
【００２８】
本開示の前述の目的、特徴、および利点が、より明白となるようにするため、本開示の実施形態が、図面を参照して詳細に説明される。
【００２９】
図１を参照すると、図１は、本開示の実施形態によるビーム受信失敗を報告するための方法のフローチャートを概略的に示し、方法は、以下のステップを含んでよい。
【００３０】
Ｓ１０１において、ビーム受信が失敗する二次セルの識別子が獲得される。
【００３１】
一部の実施形態において、ビーム受信失敗を判定するための既存の方法が適用されてよい。例えば、ユーザ機器が、現在のサービングビームの信号品質がビーム受信失敗の所定の閾値より低いことを継続的に検出する場合、ビーム受信失敗が判定される。本明細書において説明されない、所定の閾値のような関連するパラメータは、基地局によってユーザ機器に対して事前構成される。
【００３２】
Ｓ１０２において、ビーム受信が失敗する二次セルにおける候補ビームとして、失敗したビーム以外の１つのビームが選択される。
【００３３】
一部の実施形態において、ビーム受信が失敗した後、ビーム受信が失敗する二次セルに対応するビームセットの中で候補ビームとして、失敗した現在のビーム以外の１つのビームを選択することが要求される。ビームセットは、基地局によって事前構成され、ユーザ機器によって検出され、受信されることが可能である。
【００３４】
一部の実施形態において、ビーム受信が失敗する二次セルにおける候補ビームとして、最高の受信された信号強度を有する、失敗したビーム以外の１つのビームが選択される。受信される信号強度が高いほど、受信品質は良好であり、候補ビームとして、最高の受信された信号強度を有する、失敗したビーム以外のビームが選択され、このことが、その後のビーム受信の成功率を向上させる。
【００３５】
Ｓ１０３において、ビーム受信が失敗する二次セルの識別子と、候補ビームの識別子とがカプセル化されて媒体アクセス制御（ＭＡＣ）制御要素にされ、ＭＡＣ制御要素が、他のセルのリソースを使用して発信され、他のセルが、ビーム受信が失敗する一次セル、一次の二次セル、または他の二次セルを含む。
【００３６】
一部の実施形態において、ＰＲＡＣＨおよびＰＵＣＣＨの無線リソースを節約するために、ビーム受信が失敗する二次セルの識別子と、候補ビームの識別子とがカプセル化されてＭＡＣ制御要素にされ、ＭＡＣ制御要素が、失敗するビーム受信が存在しない他のセルの物理アップリンク共有チャネル（ＰＵＳＣＨ）によって発信されてよい。
【００３７】
一部の実施形態において、単一接続シナリオのキャリアアグリゲーションに関して、基地局は、ユーザ機器のためにＰＣｅｌｌおよびＳＣｅｌｌを構成してよく、二重接続（ＤＣ）シナリオのキャリアアグリゲーションに関して、基地局は、ユーザ機器のためにマスタセルグループ（ＭＣＧ）および二次セルグループ（ＳＣＧ）を構成してよい。ＭＣＧにおける一次サービングセルは、ＰＣｅｌｌであり、ＳＣＧにおける一次サービングセルは、一次の二次セル（ＰＳＣｅｌｌ）であり、ＰＣｅｌｌとＰＳＣｅｌｌは、集合的に特殊セル（ＳｐＣｅｌｌ）と呼ばれる。
【００３８】
一部の実施形態において、ビーム受信が失敗する二次セルの識別子と、候補ビームの識別子とがカプセル化されてＭＡＣ制御要素にされ、ＭＡＣ制御要素が、ビーム受信が失敗しない、ＭＣＧにおけるＰＣｅｌｌ、ＳＣＧにおけるＰＳＣｅｌｌ、または他の二次セルのＰＵＳＣＨを通じて発信されてよい。
【００３９】
一部の実施形態において、ビーム受信が失敗する各二次セルに関して、対応するＭＡＣ制御要素は、少なくとも２バイトの本文を含み、１バイトが、二次セルの識別子を表すように構成され、他方のバイトが、候補ビームの識別子を表すように構成される。
【００４０】
一部の実施形態において、セルが、複数のビームを含む場合、各ビームは、そのビームに対応する同期信号ブロックをブロードキャストし、同期信号ブロックは、同期信号ブロックインデックスを搬送し、したがって、同期信号ブロックインデックスは、候補ビームを識別するように構成されてよい。
【００４１】
一部の実施形態において、候補ビームの識別子は、候補ビームに対応する同期信号ブロックインデックスを含む。
【００４２】
本開示の実施形態を当業者がよりよく理解して、実施するように、本開示の実施形態が、図２に示されるとおり、ＭＡＣ制御要素のブロック図を概略的に示す。
【００４３】
図２を参照すると、ＭＡＣ制御要素が、サブヘッダ部分（Ｓｕｂｈｅａｄｅｒ  Ｐａｒｔ）２１と、本文部分（Ｂｏｄｙ  Ｐａｒｔ）２２とを含む。
【００４４】
サブヘッダ部分は、Ｒフィールドと、Ｆフィールドと、ＬＣＩＤフィールドと、Ｌフィールドとを含む既存の実装スキームを使用し、Ｒフィールドが、確保されたビットである１ビットを含み、Ｆフィールドが、フラグビットである１ビットを含み、ＬＣＩＤフィールドが、論理チャネル識別情報（ＬＣＩＤ）もしくはあるタイプの制御要素である６ビットを含み、Ｌフィールドが、本文部分の長さである８ビットを含む。
【００４５】
本文部分は、５つのＲフィールドと、ＳＣｅｌｌ  ＩＤフィールドと、ＳＳブロックインデックスフィールドとを含み、Ｒフィールドが、確保されたビットであり、ＳＣｅｌｌ  ＩＤフィールドが、ビーム受信が失敗する二次セルの識別子である、５ビットを含み、ＳＳブロックインデックスフィールドが、候補ビームに対応する同期信号ブロックインデックスである、６ビットを含む。
【００４６】
一部の実施形態において、現在の実装スキームに基づいて、１００００１から１１０１１１までの範囲のＬＣＩＤフィールドが、確保されたビットに対応する。１００００１から１１０１１１までのいずれか１つが、ＳＣｅｌｌ  ＩＤフィールドおよびＳＳブロックインデックスフィールドを識別するために、すなわち、本文部分におけるＳＣｅｌｌ  ＩＤフィールドおよびＳＳブロックインデックスフィールドを示すように１００００１から１１０１１１までのいずれか１つにＬＣＩＤフィールドを設定するために選択されてよい。
【００４７】
一部の実施形態において、ＭＡＣ制御要素は、ビーム受信が失敗する二次セルの１つの識別子と、候補ビームの対応する１つの識別子とを含んでよく、さらにビーム受信が失敗する二次セルの複数の識別子と、候補ビームのそれらに対応する複数の識別子とを含んでもよい。ＭＡＣ制御要素が、ビーム受信が失敗する二次セルの複数の識別子と、候補ビームのそれらに対応する複数の識別子とを含む場合、本文部分は、ビーム受信が失敗する二次セル１の識別子と候補ビームの対応する識別子、ビーム受信が失敗する二次セル２の識別子と候補ビームの対応する識別子を、ビーム受信が失敗する最後の二次セルの識別子と候補ビームの対応する識別子まで含む。
【００４８】
一実施形態において、Ｒフィールドは、０であり、Ｆフィールドは、０であり、ＬＣＩＤフィールドは、１１０１１０である。
【００４９】
一部の実施形態において、二次セルは、ダウンリンクキャリアだけを構成してよく、さらにダウンリンクキャリアとアップリンクキャリアの両方を構成してもよい。
【００５０】
一部の実施形態において、基地局は、ＳＣｅｌｌのためにＰＲＡＣＨを構成してよい。この事例において、ビーム受信失敗を報告するための専用のプリアンブルパラメータが、構成されてよい。基地局が、ビーム受信失敗を報告するための専用のプリアンブルパラメータをＳＣｅｌｌのために構成し、ビーム受信が失敗した場合、ビーム受信失敗を報告するための様態が、最初に決定され、次に、ビーム受信失敗が、ビーム受信失敗を報告する決定された様態に基づいて送信される。
【００５１】
本開示の実施形態を当業者がよりよく理解して、実施するように、本開示の実施形態が、図３に示されるとおり、ビーム受信失敗を報告するための方法のフローチャートを概略的に示す。
【００５２】
図３を参照すると、ビーム受信失敗を報告するための方法は、以下のステップを含んでよい。
【００５３】
Ｓ３０１において、無線リソース制御（ＲＲＣ）シグナリングが受信され、ＲＲＣシグナリングが、ビーム受信失敗を報告するための専用のプリアンブルパラメータを含む。
【００５４】
Ｓ３０２において、ビーム受信失敗を報告するための様態が決定される。
【００５５】
一部の実施形態において、基地局は、ＳＣｅｌｌのためにＰＲＡＣＨを構成してよい。この事例において、ビーム受信失敗を報告するための専用のプリアンブルパラメータが、さらに構成されてよい。基地局が、ビーム受信失敗を報告するための専用のプリアンブルパラメータをＳＣｅｌｌのために構成し、ビーム受信が失敗した場合、ビーム受信失敗を報告するための様態が、最初に決定される。
【００５６】
一部の実施形態において、ユーザ機器が、ユーザ機器自体でビーム受信失敗を報告するための様態を決定する。
【００５７】
一部の実施形態において、基地局が、ビーム受信失敗を報告するための専用のプリアンブルをＳＣｅｌｌのために構成するとき、ビーム受信失敗を報告するための特定の様態、すなわち、ＭＡＣ制御要素に基づいてビーム受信失敗を報告すること、または専用のプリアンブルに基づいてビーム受信失敗を報告することが構成されてよい。
【００５８】
一部の実施形態において、ＲＲＣシグナリングは、方法が、ビーム受信失敗を報告する様態を決定するためのパラメータをさらに含んでよく、ビーム受信が失敗した場合、ユーザ機器は、ビーム受信失敗を報告するためのパラメータにより、ビーム受信失敗を報告するための様態を決定する。
【００５９】
Ｓ３０３、ビーム受信が失敗したとき、ビーム受信失敗を報告するための決定された様態により、ビーム受信失敗が、ＭＡＣ制御要素に基づく様態を使用して報告される、または専用のプリアンブルに基づく様態を使用して報告される。
【００６０】
一部の実施形態において、ビーム受信失敗を報告するための様態が、ＭＡＣ制御要素に基づく場合、図１に示される実施形態におけるビーム受信失敗を報告するための方法により、基地局に、ビーム受信が失敗する二次セルの識別子、および候補ビームの対応する識別子、ビーム受信失敗を報告するための様態が、専用のプリアンブルに基づく場合、既存のスキームが、基地局に、専用のプリアンブルに基づくビーム受信失敗（すなわち、ビーム失敗回復要求）を報告するのに使用され、これらについて、本明細書において再び説明されることはない。
【００６１】
一部の実施形態において、基地局は、ユーザ機器のために３つのダウンリンクキャリアおよび３つのアップリンクキャリアを構成する。一次セルに関して、基地局は、ユーザ機器のために、チャネル状態情報基準信号（ＣＳＩ−ＲＳ）もしくは同期信号ブロックなどのビーム受信失敗を検出するための基準信号、およびビーム受信失敗に関する所定の閾値、ならびにビーム失敗回復要求の専用のプリアンブルを事前構成する。
【００６２】
サービス中、一次セルにおいてビーム受信が失敗した場合、ユーザ機器が、専用のプリアンブルを通じてビーム失敗回復要求を発信する。ビーム失敗回復要求を受信した後、基地局は、ユーザ機器を識別し、ビーム回復応答を、対応する制御リソースセット（ＣＯＲＥＳＥＴ）においてユーザ機器に送信する。
【００６３】
サービス中、二次セルにおいてビーム受信が失敗した場合、ユーザ機器が、ビーム受信が失敗する二次セルの識別子と、候補ビームの識別子とをカプセル化してＭＡＣ制御要素にし、ＭＡＣ制御要素が、ビーム受信が失敗しない一次セルまたは他のセルのリソースを使用して基地局に発信される。ＭＡＣ制御要素を受信した後、基地局は、所定の回復手続きによりユーザ機器との通信を回復する、すなわち、ユーザ機器が、アップリンクまたはダウンリンクでスケジュールされ、ユーザ機器が、そのスケジュールを受け入れる。
【００６４】
一部の実施形態において、ある特定の二次セルに関して、基地局が、ＰＲＡＣＨ、およびビーム失敗回復要求の専用のプリアンブルを事前構成する場合、その二次セルにおいてビーム受信が失敗したとき、ユーザ機器は、専用のプリアンブルによってビーム受信失敗を報告すること（例えば、ビーム失敗回復要求を送ること）、またはＭＡＣ制御要素によってビーム受信失敗を報告することが可能である。
【００６５】
本開示の一部の実施形態において、基地局は、ユーザ機器のために２つのダウンリンクキャリアおよび１つのアップリンクキャリア、すなわち、ダウンリンク（ＤＬ）ＰＣｅｌｌ、アップリンク（ＵＬ）ＰＣｅｌｌ、およびＤＬ  ＳＣｅｌｌを構成する。
【００６６】
ＤＬ  ＳＣｅｌｌに関して、ビーム受信が失敗したとき、任意の前述の方法が、基地局に、ビーム受信が失敗する二次セルの識別子、および候補ビームの対応する識別子を報告するのに、またはビーム失敗回復要求を報告するのに使用されてよく、このことは、本明細書において説明されない。
【００６７】
前述の方法において、ビーム受信が失敗する二次セルの識別子と、対応する候補ビームの識別子とがカプセル化されてＭＡＣ制御要素にされ、ＭＡＣ制御要素が、他のセルのリソースを使用して発信される。ＭＡＣ制御要素が使用されるので、ＰＲＡＣＨおよび専用のプリアンブルは、構成される必要がなく、ＰＵＣＣＨは、使用されない。したがって、ビーム受信が失敗する二次セルの識別子、およびそれに対応する候補ビームは、ＰＲＡＣＨおよびＰＵＣＣＨを使用することなしに送信されることが可能である。
【００６８】
本開示の実施形態を当業者がよりよく理解して、実施するように、本開示の実施形態が、図４に示されるとおり、ビーム受信失敗を報告するためのユーザ機器の構造図を概略的に示す。
【００６９】
図４を参照すると、ユーザ機器４０が、獲得回路４１と、選択回路４２と、第１の報告回路４３とを含む。
【００７０】
獲得回路４１は、ビーム受信が失敗する二次セルの識別子を獲得するように構成される。
【００７１】
選択回路４２は、ビーム受信が失敗する二次セルにおける候補ビームとして、失敗したビーム以外の１つのビームを選択するように構成される。
【００７２】
第１の報告回路４３は、ビーム受信が失敗する二次セルの識別子と、候補ビームの識別子とをＭＡＣ制御要素としてカプセル化して、ＭＡＣ制御要素を、ビーム受信が失敗する二次セル以外の１つのセルのリソースを使用して発信するように構成され、ビーム受信が失敗する二次セル以外のセルが、ビーム受信が失敗する一次セル、一次の二次セル、または他の二次セルを含む。
【００７３】
一部の実施形態において、候補ビームの識別子は、候補ビームに対応する同期信号ブロックインデックスを含む。
【００７４】
一部の実施形態において、ビーム受信が失敗する各二次セルに関して、対応するＭＡＣ制御要素は、少なくとも２バイトの本文を含み、１バイトが、二次セルの識別子を表すように構成され、他方のバイトが、候補ビームの識別子を表すように構成される。
【００７５】
一部の実施形態において、二次セルは、ダウンリンクキャリアだけを構成する、またはダウンリンクキャリアとアップリンクキャリアの両方を構成する。
【００７６】
一部の実施形態において、選択回路４２は、候補ビームとして、最高の受信された信号強度を有する、他のビームのうちの１つを選択するように構成される。
【００７７】
一部の実施形態において、本明細書において説明されない、ユーザ機器４０の原理および方式についてのさらなる詳細は、実施形態における前述の方法を参照してよい。
【００７８】
本開示の実施形態を当業者がよりよく理解して、実施するように、本開示の実施形態が、図５に示されるとおり、ビーム受信失敗を報告するためのユーザ機器の構造図を概略的に示す。
【００７９】
図５を参照すると、ユーザ機器が、受信回路５１と、決定回路５２と、第２の報告回路５３とを含んでよい。
【００８０】
受信回路５１は、基地局から送信されたＲＲＣシグナリングを受信するように構成され、ＲＲＣシグナリングが、ビーム受信失敗を報告するための専用のプリアンブルパラメータを含む。
【００８１】
決定回路５２は、ビーム受信失敗を報告するための様態を決定するように構成される。
【００８２】
ビーム受信が失敗したとき、ビーム受信失敗を報告するための決定された様態により、報告回路５３が、ビーム受信失敗を、ＭＡＣ制御要素に基づく様態を使用して報告する、または専用のプリアンブルに基づく様態を使用して報告する。
【００８３】
一部の実施形態において、ＲＲＣシグナリングは、方法がビーム受信失敗を報告する様態を決定するためのパラメータをさらに含み、決定回路５２が、ビーム受信失敗を報告するためのパラメータにより、ビーム受信失敗を報告するための様態を決定するように構成される。
【００８４】
一部の実施形態において、本明細書において説明されない、ユーザ機器５０の原理および方式についてのさらなる詳細は、実施形態における前述の方法を参照してよい。
【００８５】
本開示の実施形態は、コンピュータ命令を記憶するコンピュータ可読媒体であって、不揮発性記憶媒体または非一時的記憶媒体を含む、コンピュータ可読媒体を提供する。コンピュータ命令が実行されると、図１および図３に示されるビーム受信失敗を報告するための方法が、実行される。
【００８６】
本開示の実施形態は、メモリとプロセッサとを含むシステムであって、メモリが、プロセッサ上で実行可能なコンピュータ命令を記憶し、プロセッサが、コンピュータ命令を実行しているとき、図１および図３に示されるビーム受信失敗を報告するための方法を実行する、システムを提供する。
【００８７】
前述の方法のステップのすべてまたは一部は、プログラム命令が実行されると、関係のあるハードウェアによって完了されてよく、プログラムは、読み取り専用メモリ（ＲＯＭ）、ランダムアクセスメモリ（ＲＡＭ）、磁気ディスク、または光ディスクなどのコンピュータ可読記憶媒体に記憶されてよいことが、当業者には理解されよう。
【００８８】
本開示は、本開示の好ましい実施形態を参照して以上に開示されてきたが、本開示は、限定としてではなく、例として提示されるにすぎないことを理解されたい。当業者は、本開示の趣旨および範囲を逸脱することなく、実施形態を変形すること、および変更することが可能である。
【図１】
2021502728.tif 000003
【図２】
2021502728.tif 000004
【図３】
2021502728.tif 000005
【図４】
2021502728.tif 000006
【図５】
2021502728.tif 000007
【国際調査報告】
2021502728.tif 000008
2021502728.tif 000009